(57)【要約】【課題】運搬時に装置を保護すると同時に、簡潔な方法でモニタの清掃ができる、電子装置用の収容器を提供する。【解決手段】平面にモニタを備える電子装置用収容器であって、収容器は壁部がある装置の収容領域を有し、壁部が前記装置の前記モニタに当たるように壁部は規定されており、平坦な差込み要素が設けられており、差込み要素は、少なくとも１つの平面に柔らかな表面を備え、差し込まれた状態では壁部の近くに位置する、収容器。【選択図】図１
2010504564.tif 000002
【特許請求の範囲】
【請求項１】
平面にモニタを備える電子装置用の収容器であって、前記収容器は前記装置の収容領域（１２）を有し、前記収容領域には壁部（２０）があり、前記壁部が前記装置の前記モニタに当たるように前記壁部は規定されている収容器であって、平坦な差込み要素（２２）が設けられており、前記差込み要素は、少なくとも１つの平面に柔らかな表面を備え、差し込まれた状態では前記壁部（２０）の近くに位置することを特徴とする、収容器。
【請求項２】
前記差込み要素（２２）が、前記装置の前記収容領域（１２）よりも硬くなるように製作されることを特徴とする、請求項１に記載の収容器。
【請求項３】
前記差込み要素（２２）が本質的に矩形の形状を有することを特徴とする、請求項１または２に記載の収容器。
【請求項４】
前記平面が、前記柔らかな表面にマイクロファイバ製の薄織物があることを特徴とする、請求項１から３のいずれか一項に記載の収容器。
【請求項５】
前記差込み要素（２２）が、前記挿入された状態で前記収容領域に保持されるために保持要素を有する、請求項１から４のいずれか一項に記載の収容器。
【請求項６】
前記収容領域が前記装置を完全に収容することができることを特徴とする、請求項１から５のいずれか一項に記載の収容器。
【請求項７】
折り畳み可能な蓋（１２）が止め具（３４）を有することを特徴とする、請求項６に記載の収容器。
【請求項８】
前記収容領域が、ジッパーロックまたはスライドロックによって閉止されることができることを特徴とする、請求項６に記載の収容器。
【請求項９】
前記差込み要素が前記収容器から取り出すことができるように、前記差込み要素が形成されていることを特徴とする、請求項１から８のいずれか一項に記載の収容器。
【請求項１０】
前記差込み要素が、取り出された状態では前記モニタ用の清掃要素として形成されていることを特徴とする、請求項１から９のいずれか一項に記載の収容器。
【発明の詳細な説明】
【技術分野】
【０００１】
本発明は、モニタ付き電子装置用収容器に関する。このような電子装置は、たとえば、カメラ、ＰＤＡ、電話機、モバイルゲームのコンソール、ＭＰ３プレーヤ、またはポータブルコンピュータであってもよい。
【背景技術】
【０００２】
ドイツ国実用新案第２０２０５８３６号（特許文献１）から、弾性材料でできている携帯電話用袋が知られており、この壁部は耐衝撃性および耐衝突性の材料からできている。この目的のために、耐衝撃性および耐衝突性の材料をこの袋の壁部に組み込むことが提案されている。代替として、耐破断性のプラスチック材料を押し込んで袋に挿入し、その内表面に、柔らかく伸縮自在な弾性材料の被覆を設けることもまた、述べられている。
【０００３】
米国特許第３，９３８，６５５号（特許文献２）から、挿入可能なＵ字形の補強要素を備えた眼鏡ケースが知られている。補強要素は硬質材料からなり、これはＵ字形に湾曲している。挿入された状態では、Ｕ字形の補強要素の脚部が眼鏡ケースによって互いに押圧されているので、補強要素が眼鏡ケースを押圧し、眼鏡ケースの内側に補強要素の外側とともに摩擦係合によって保持される。眼鏡レンズの損傷を回避するために、Ｕ字形の補強要素の内側は、薄くて可撓性の材料で被覆している。
【先行技術文献】
【特許文献】
【０００４】
【特許文献１】ドイツ国実用新案第２０２０５８３６号
【特許文献２】米国特許第３，９３８，６５５号
【発明の概要】
【発明が解決しようとする課題】
【０００５】
今日、携帯用電子装置は、常に増加している大きさのモニタを備えている。一方、モニタは、たいてい数インチの可視対角線を有する。これらの電子装置を保管し運搬する時に、たとえば袋など収容器の外部効果によってモニタがこすられるかまたは損傷を受けるという問題が、しばしば生じる。さらに、使用者がモニタに触れることは、これらの装置の取扱い時に必ずしも避けることはできず、これによって、汚れ（Ｆｌｅｃｋｅｎ）および圧痕がモニタに生じる。
【０００６】
本発明は、運搬時に装置を保護すると同時に、簡潔な方法でモニタの清掃ができる、電子装置用の収容器を提供するという目的に基づくものである。
【課題を解決するための手段】
【０００７】
本発明によると、本目的は、請求項１による収容器によって解決される。有利な実施形態は、サブクレームの主題を構成する。
【０００８】
本発明の収容器は、平面にモニタを有する電子装置の収容に役立つ。収容器には収容領域があり、この領域内に装置が差し込まれるか、載置されるか、あるいは別の方法で入れられる。装置用の収容領域は壁部を有し、この壁部は壁部が装置のモニタに当たるように規定されている。電子装置が収容器に受けられる場合、壁部が装置のモニタに当たるように規定されている壁部は、モニタの近くにある。本発明によると、収容器は平坦な差込み要素を有し、少なくとも１つの平面に柔らかな表面を備えており、差し込まれた状態では装置のモニタに向かっているその壁部の近くに位置する。収容器の寸法に対して、差込み要素は厚みが著しく小さく、したがって、差込み要素はまた、平坦な差込み要素として示されている。差込み要素は、別個の、形状が安定した要素として想定されており、収容器に差し込まれて、収容器から取り外されることができる。差し込まれた状態では、差込み要素は、収容領域の壁部にぴったりと当たっている。電子装置が収容領域にも配置される場合、差込み要素の柔らかな表面は、装置のモニタに向かい、装置の近くに位置している。柔らかな表面によって、特に運搬中や装置が衝撃を受けた時には、確実にモニタの表面がこすれず、また衝撃が減衰されるようになる。加えて、装置が中に置かれて外に引っ張られると、モニタ表面は柔らかな表面上で清掃される。別個に形成された差込み要素のさらなる利点は、差込み要素を収容器から取り出すことが可能であり、モニタをその柔らかな表面で清掃することができることである。したがって、差込み要素は、二重機能を果たし、差込み要素は電子装置の保護と、同時にモニタを清掃することとに役立ち、差込み要素の保管によって、さらには、確実に差込み要素が不注意に汚れたり紛失したりしなくなる。
【０００９】
好ましい実施形態において、差込み要素は、装置用の収容領域よりも硬くなるように製作される。したがって、硬い差込み要素によって、収容器全体をさらに補強し、安定させることができる。たとえば、収容器を軽量化したりより少ない材料で製作したりするために、差込み要素を使用することによって、全体の安定性を失うことなく、収容器の残り部分およびその壁をあまり形状が保たれないように作成することができる。
【００１０】
差込み要素は、電子装置の平面にその寸法が適合される、本質的に矩形の形状であることが好ましい。差込み要素がその寸法において電子装置またはそのモニタの寸法のそれぞれに、あるいは差込み要素の内部寸法に適合される限り、本質的に矩形の形状の他に、丸い形状が与えられてもよい。好ましくは、平面は、柔らかなマイクロファイバ製の薄織物を備えている。しかし、さらに他の柔らかな薄織物や不織布も考えられ、これらはモニタを清掃して、モニタを傷つけない状態に保つ。好ましくは、モニタに当てるために設けられている差込み要素の平面は、詰め物を入れられている（ｇｅｐｏｌｓｔｅｒｔ）。差込み要素は平坦な形状を有し、ここでは、片面が平坦に形成され、反対面がいくらか詰め物を入れられている。さらに差込み要素の両面が、詰め物を入れられることができ、ここでは、たとえば、片面はモニタを清掃するため、反対面は対物レンズを清掃するためなど、２つの面に異なる充填物が可能である。
【００１１】
好ましい実施形態において、挿入された状態で収容領域に保持されるために、差込み要素は保持要素を備えている。保持手段として、たとえば、押しボタン、面ファスナテープ（Ｋｌｅｔｔｂａｎｄ）、磁気ボタン、磁石などが設けられてもよい。好ましい実施形態において、収容領域は、差込み要素を完全に受け入れる。収容領域は、収容領域に折り畳み可能に接続されている蓋またはフラップによって、すっかり覆われることができる。さらに、収容領域を安全に閉止するために、好ましくは止め具が設けられている。蓋またはフラップの代わりに、ジッパーロックまたはスライドロックが設けられていてもよい。
【発明の効果】
【００１２】
本発明によれば、運搬時に装置を保護すると同時に、簡潔な方法でモニタの清掃ができる。
【図面の簡単な説明】
【００１３】
【図１】差込み要素を備えたカメラ用袋の斜視図である。
【図２】差込み要素の上面図である。
【発明を実施するための形態】
【００１４】
本発明の収容器の実現例を、以下にさらに詳細に説明する。
【実施例１】
【００１５】
図１は、本質的に矩形の収容領域１２を有し、電子装置（図示せず）にその形状が適合している袋１０を示している。電子装置は、ディスプレイを有するいかなる任意の装置の物であってもよい。このような装置は、たとえば、写真用カメラ、携帯電話、ナビゲーション装置などである。袋１０は蓋１４によって閉止され、蓋１４は線１６に沿って袋に回動可能に接合されている。蓋１４は、一対の組み込まれた磁石３４によって袋に保持される。代替として、さらに面ファスナの材料（Ｋｌｅｔｔｍａｔｅｒｉａｌ）、磁気ボタンまたは押しボタン、あるいはラッチロックも設けられてもよい。
【００１６】
袋は、たとえば革などの材料やプラスチック材料などから製作される。他の可能な材料は、ナイロン、ポリウレタン、ポリ塩化ビニル、麻、または綿である。それをネックストラップやショルダストラップやベルトに固定するために、袋はまた、１つの面に耳またはループを備えていてもよい。
【００１７】
袋は、その幾何学的形状が異なるカメラ本体の寸法に適合される。収容されるべきカメラは、収容領域１２に入れられ、本質的に収容領域１２をふさぐ。この場合、カメラは、少なくとも前部および背部の平面１８、２０に当たる。袋の収容領域１２に異なる材料を詰め込んでもよい。内部の裏地として、たとえば柔らかな布やマイクロファイバ製の布が使用されてもよい。
【００１８】
差込み要素２２が、袋１０の背面壁に設けられている。差込み要素２２は丸い角を備えた矩形の形状を有する。その寸法は、袋の背面壁２０に適合されているので、差込み要素は、袋１０の側壁２４、２６の間に保持される。その上端部に、差込み要素は、差込み要素２２を取り出すために設けられているループ２８を有する。差込み要素２２は、挿入された状態でさらに袋を安定させる変形しにくい背面壁（図示せず）を有する。マイクロファイバ製パッド３０が、差込み要素２２に設けられている。
【００１９】
マイクロファイバ製パッド３０は、示されている実現例では、周囲の縫い目３２によって差込み要素に接続されている。当然ながら、別の方法でパッドを差込み要素に接続することもまた、可能である。
【００２０】
差込み要素２２用の固定具が、収容領域１２の背面壁（図示せず）にさらに設けられていてもよい。電子装置がなくても差込み要素を収容領域にしっかりと保つために、たとえば、面ファスナの接合部（Ｋｌｅｔｔｖｅｒｂｉｎｄｕｎｇ）がここに設けられていてもよい。
【００２１】
差込み要素２２の特別の利点は、差込み要素２２がカメラまたは別の電子装置のモニタを保護するのに役立つ一方で、他方では袋から取り出すことができ、差込み要素２２がその柔らかな面でモニタを清掃するために役立つことである。カメラとともに、さらに対物レンズやカバーアップ要素もまた、清掃することができる。さらなる利点は、差込み要素が袋内で汚れから保護され、また紛失する可能性がないことである。
【図１】
2010504564.tif 000003
【図２】
2010504564.tif 000004
【国際調査報告】
2010504564.tif 000005
2010504564.tif 000006
2010504564.tif 000007
2010504564.tif 000008